(57)【特許請求の範囲】
【請求項１】
液体を充填した可撓性を有する液体容器と、該液体容器を収納する外容器と、前記液体容器の口部に装着されて液体の吸引・注出を行うポンプ体と、該ポンプ体の吸引部に連通状態で取り付けられると共に前記液体容器の内部に挿通配設される吸引管と、を有して成り、
前記ポンプ体の動作によって前記液体容器内の液体を吸引・注出するに従って、前記液体容器内の負圧化に伴って収縮（縮小）していく構成のエアレスタイプの液体取出装置において、
前記外容器が、上部開口構成の本体と、該本体の上部に被せた状態で螺合結合することにより上部開口を被覆する構成の蓋体と、を有して成り、
前記蓋体が開口部を有する天板と該天板の縁部から連設状態で垂設する側壁部とを有して成り、前記開口部に前記液体容器の口部が下方から挿通されて天板上方に突出した状態で該口部の基部が前記開口部に取り付けられた状態となる構成であると共に、前記開口部に前記基部が取り付けられた際に、前記開口部の内周面の少なくとも一部の全周部と前記基部の外周面の少なくとも一部の全周部とが密接する状態となる構成であることによって前記蓋体の天板と液体容器との取付部分から前記外容器内への水分の浸入を阻止する液密構成であり、
更に、螺合により本体と蓋体とが螺合結合した際に当接する本体の上部開口の上端部と蓋体の天板の下面部との間に通気路が設けられた構成であり、
前記外容器の本体の上部の螺合部分の下方近傍の全周であって、且つ前記蓋体が被覆結合した際に該蓋体によって被覆される部分にフランジ部が設けられており、該フランジ部が下面が略水平であると共に上面が外周に向かって下方に傾斜する斜面であり、この略水平である下面の外周縁と斜面である上面の外周縁とが鋭角部を成して当接する構成（但しフランジ部は、蓋体との係合により該蓋体を本体に対して係止する構成であることを除く。）であり、しかも該フランジ部が側方視した際に前記蓋体の側壁部に隠れる位置に設けられていることにより、下方からの水はフランジ部の下面によって浸入が抑止され、側方からの水は蓋体の側壁部によって浸入が抑止される構成であること、
を特徴とする液体取出装置。
【請求項２】
前記外容器が、螺合により当接する本体の上部開口の上端部と蓋体の天板の下面部のいずれか一方又は両方に凸部及び／又は凹部が設けられて通気路が形成された構成であることを特徴とする請求項１に記載の液体取出装置。
【発明の詳細な説明】
【技術分野】
【０００１】
本発明は液体取出装置に関し、詳しくは外容器に交換可能に収納した可撓性の液体容器に充填された液体を吸引・注出するエアレスタイプの液体の取出装置に関する。
【背景技術】
【０００２】
外容器内に収容した可撓性を有する液体容器に充填された液体をポンプ手段により吸引・注出するに従って前記液体容器内の負圧化に伴って収縮（縮小）していく構成のエアレスタイプの液体取出装置は、水場に置いて使用することが一般的である。具体的な使用場所を挙げれば、液体容器に充填する液体の種類が、シャンプー・リンス類であれば浴室、液体石鹸類であれば浴室や洗面所、食器用洗剤類であればキッチンシンク等である。
【０００３】
このように水場で使用する場合、湯水で濡れた手で取り扱われたり、洗い水等が降りかかるために液体取出装置は濡れることが多く、外容器の内部にまで湯水が浸入してしまうことが多々ある。
【０００４】
液体取出装置の外容器の内部に湯水が浸入した場合、該外容器の内側や内部に収納した液体容器表面に経時によりヌメリやカビが発生し易く、不衛生になり易いという問題点を有している。
【０００５】
エアレスタイプの液体取出装置の場合、吸引・注出するに従って収縮する液体容器の容積と同量の空気を外容器内に取り込んで「空気置換」を行うことによって該外容器内が減圧状態になることを避ける必要がある。これは外容器内が減圧状態になると液体の吸引・注出時の液体容器の収縮の抵抗となるからである。
【０００６】
そこで従来は空気置換を行う構成として、外容器の底部に通気路となる透孔を設けることが行われている（例えば、特許文献１〜４等参照）。
【先行技術文献】
【特許文献】
【０００７】
【特許文献１】実開昭６３−０４９３７１号
【特許文献２】特開平１１−０７９２４５号
【特許文献３】特開２０００−１８９２４４号
【特許文献４】特開２００６−２９８４９８号
【発明の概要】
【発明が解決しようとする課題】
【０００８】
外容器の底部に設けた透孔により空気置換を行う技術によれば、円滑な空気置換が可能であるが、浴室等のタイル床等に直置きした場合等に底部の透孔から湯水が浸入し易く、ヌメリやカビの発生を防ぐことは困難であることが判った。
【０００９】
そこで本発明の目的は、エアレスタイプの液体取出装置に必要な空気置換を円滑に行うことができ、しかも外容器の内部への湯水の浸入を抑止することができる衛生的に使用可能な液体取出装置を提供することにある。
【課題を解決するための手段】
【００１０】
上記課題を解決する本発明は、下記構成を有する。
【００１１】
１．液体を充填した可撓性を有する液体容器と、該液体容器を収納する外容器と、前記液体容器の口部に装着されて液体の吸引・注出を行うポンプ体と、該ポンプ体の吸引部に連通状態で取り付けられると共に前記液体容器の内部に挿通配設される吸引管と、を有して成り、
前記ポンプ体の動作によって前記液体容器内の液体を吸引・注出するに従って、前記液体容器内の負圧化に伴って収縮（縮小）していく構成のエアレスタイプの液体取出装置において、
前記外容器が、上部開口構成の本体と、該本体の上部に被せた状態で螺合結合することにより上部開口を被覆する構成の蓋体と、を有して成り、
前記蓋体が開口部を有する天板と該天板の縁部から連設状態で垂設する側壁部とを有して成り、前記開口部に前記液体容器の口部が下方から挿通されて天板上方に突出した状態で該口部の基部が前記開口部に取り付けられた状態となる構成であると共に、前記開口部に前記基部が取り付けられた際に、前記開口部の内周面の少なくとも一部の全周部と前記基部の外周面の少なくとも一部の全周部とが密接する状態となる構成であることによって前記蓋体の天板と液体容器との取付部分から前記外容器内への水分の浸入を阻止する液密構成であり、
更に、螺合により本体と蓋体とが螺合結合した際に当接する本体の上部開口の上端部と蓋体の天板の下面部との間に通気路が設けられた構成であり、
前記外容器の本体の上部の螺合部分の下方近傍の全周であって、且つ前記蓋体が被覆結合した際に該蓋体によって被覆される部分にフランジ部が設けられており、該フランジ部が下面が略水平であると共に上面が外周に向かって下方に傾斜する斜面であり、この略水平である下面の外周縁と斜面である上面の外周縁とが鋭角部を成して当接する構成（但しフランジ部は、蓋体との係合により該蓋体を本体に対して係止する構成であることを除く。）であり、しかも該フランジ部が側方視した際に前記蓋体の側壁部に隠れる位置に設けられていることにより、下方からの水はフランジ部の下面によって浸入が抑止され、側方からの水は蓋体の側壁部によって浸入が抑止される構成であること、
を特徴とする液体取出装置。
【００１２】
２．前記外容器が、螺合により当接する本体の上部開口の上端部と蓋体の天板の下面部のいずれか一方又は両方に凸部及び／又は凹部が設けられて通気路が形成された構成であることを特徴とする上記１に記載の液体取出装置。
【発明の効果】
【００１４】
請求項１に示す発明によれば、エアレスタイプの液体取出装置に必要な空気置換を円滑に行うことができ、しかも外容器の内部への湯水の浸入を抑止することができる衛生的に使用可能な液体取出装置を提供することができる。
【００１５】
特に、螺合により本体と蓋体とが螺合結合した際に当接する本体の上部開口の上端部と蓋体の天板の下面部との間に通気路が設けられた構成によって、吸引・注出するに従って収縮する液体容器の容積と同量の空気が、外容器の本体の上部と蓋体の側壁部との間を通り、更に前記通気路を通って外容器内に取り込まれるので「空気置換」が円滑に行われることになる。従って、外容器内が減圧状態になることが避けられ、前記した液体の吸引・抽出が阻害されることなく円滑に行われることになる。
そしてこの空気置換が行われる通気路が外容器の本体の上部であって外容器の蓋体が被さる部分に設けられているため、外容器の底部からの湯水の浸入が無いだけでなく、シャワー等により液体取出装置に降りかかる湯水も外容器内へ浸入し難いためヌメリやカビの抑止効果が高い。
【００１６】
請求項２に示す発明によれば、極めて簡易な構成により空気置換を行う通気路を形成することができるので、製造コストの上昇を招くことがない。
【００１７】
請求項３に示す発明によれば、シャワー等によるタイル床面等からの跳ね返り水が、外容器の蓋体の側壁部と本体上部との間に下方からの浸入を抑止することができる。
【図面の簡単な説明】
【００１８】
【図１】本発明に係る液体取出装置の一実施例を示す構成説明図
【図２】図１の液体取出装置の外容器の本体の上部と蓋体との螺合結合構成の一例を説明する要部説明断面図
【図３】外容器の蓋体の一例を示す底面図
【図４】外容器の蓋体の他の例を示す断面図
【図５】外容器の本体の他の例を示す要部側面図
【図６】外容器の本体の更に他の例を示す要部側面図
【発明を実施するための形態】
【００１９】
本発明に係る液体取出装置について図１〜図６に基づき詳細に説明する。
【００２０】
本発明は、シャンプー、コンディショナー、トリートメント、その他の頭髪用品をはじめ、液状石鹸、化粧液、歯磨き、食器用洗剤、ソース、マヨネーズ、食用油、機械油、その他の各種液体（ゲル状或いはゼリー状等の高粘度液体を含む）が充填された液体容器から前記液体をポンプ体によって吸引・注出するに従って、前記液体容器内の負圧化に伴って収縮（縮小）していく構成のエアレスタイプの液体取出装置である。液体容器内の液体の吸引・注出によって空になった後は、満充填された新規の詰替用の液体容器に交換して使い続けることができる構成である。
【００２１】
先ず、図１〜図３に示すように、本発明の液体取出装置１は、液体を収納した可撓性を有する液体容器２と、該液体容器２の上部に装着される液体の吸引・注出手段であるポンプ体３と、該ポンプ体３の吸引部に連通状態で取り付けられると共に前記液体容器２の内部に挿通配設される吸引管４と、前記液体容器２を収納する外容器５（蓋体５Ａと本体５Ｂ）と、を有して成り、
前記ポンプ体３の動作によって前記液体容器２内の液体を吸引・注出するに従って、前記液体容器２内の負圧化に伴って収縮（縮小）していくエアレスタイプ構成を有し、
前記外容器５が、上部開口構成の本体５Ｂと、該本体５Ｂの上部に被せた状態で螺合結合することにより上部開口を被覆する構成の蓋体５Ａと、を有して成り、
前記蓋体５Ａが開口部５１を有する天板５２と該天板５２の縁部から連設状態で垂設する側壁部５７とを有して成り、前記開口部５１に前記液体容器２の口部２１が下方から挿通されて天板５２上方に突出した状態で該口部２１の基部２２が前記開口部５１に取り付けられた状態となる構成であると共に、前記開口部５１に前記基部２２が取り付けられた際に、前記開口部５１の内周面の少なくとも一部の全周部と前記基部２２の外周面の少なくとも一部の全周部とが密接する状態となる構成であることによって前記蓋体５Ａの天板５２と液体容器２との取付部分から前記外容器５内への水分の浸入を阻止する液密構成であり、
更に、螺合により本体５Ｂと蓋体５Ａとが螺合結合した際に当接する本体５Ｂの上部開口の上端部と蓋体５Ａの天板５２の下面部との間に通気路Ａが設けられた構成である。
【００２２】
以下、本発明の構成について更に詳説する。
【００２３】
液体容器２は、本実施例では周囲をヒートシールにより封止した袋状を成すものであり、上部のヒートシール部には前記ポンプ体３が取り付けられる口部２１を有する取付部材２３が同時に熱溶着されている。前記ポンプ体３の取付けは、口部２１に螺合取付される本実施例に示す構成の他、圧入・嵌合等の手段を採ることもできる。
【００２４】
更に、液体容器２としては、この種のエアレスタイプに用いられる袋体として公知公用のものを特別の制限無く用いることができ、例えば、ポリプロピレンフィルム、ポリエチレンフィルム、ナイロンフィルム等のフィルム単層体、或いはこれら複数のフィルム積層体から成る酸素透過抑制積層フィルム等による袋体を挙げることができる。また、形状は本実施例の袋状に限らず、ボトル状等の公知公用の他の形状を有していてもよい。
【００２５】
ポンプ体３及び吸引管４としては、この種のエアレスタイプの液体取出装置に用いられる公知公用のポンプ及び吸引管を特別の制限なく用いることができ、上部の押下部を押込操作することで吸引管４並びにポンプ動作部内のピストン・シリンダ内を通って液体容器２内の液体を吐出口から吐出することができる。尚、ポンプ体３のポンプ構成については、この種の液体取出装置に用いられる一般的なポンプ構成であるため、本明細書ではポンプ体３のポンプ機構についての説明は省略する。
【００２６】
外容器５としては、この種のエアレスタイプの液体取出装置に用いられる公知公用の容器体であって本体と蓋体とから構成されるものを特別の制限なく用いることができ、材質としては、合成樹脂製、金属製、陶磁器製、木製等を挙げることができ、中でも、インジェクション成形やブロー成形等によって成形された合成樹脂製であることが好ましく、中でも低コストで成形可能なブロー成形によるポリエチレン製やポリプロピレン製が特に好ましい。
【００２７】
尚、外容器５には、本体５Ｂの上部の螺合部分の下方近傍の全周であって、且つ前記蓋体５Ａが被覆結合した際に該蓋体５Ａによって被覆される部分にフランジ部５８が設けられた構成であることが好ましい。かかるフランジ部５８が建築物における「ねずみ返し」のように作用することによって、シャワー等によるタイル床面等からの跳ね返り水が、外容器５の蓋体５Ａの側壁部５７と本体５Ｂ上部との間に下方からの浸入を抑止することができる。
【００２８】
外容器５と液体容器２との取付構成における液密構成の具体的な一実施例としては、図２に示すように、前記外容器５の蓋体５Ａの開口部５１は、該開口部５１から下方に垂設状態で連設する開口円筒部５１Ａを成しており、この開口円筒部５１Ａの内周面の上部に凸条リブ５１Ｂが設けられており、
前記外容器２の口部２１の基部２２の上部に１枚の上鍔状部２４が設けられ、下部に別なる１枚の下鍔状部２５が設けられており、
前記上鍔状部２４と下鍔状部２５の各々が開口部５１の開口円筒部５１Ａの内周面に二箇所で密接することによって二重の液密状態となる構成である。かかる構成によって、上鍔状部２４が凸条リブ５１Ｂを乗り越えた位置で該凸条リブ５１Ｂと開口円筒部５１Ａの当接状態で密接して該開口円筒部５１Ａの上部が液密となり、更に、開口円筒部５１Ａの下面に下鍔状部２５が密接して該開口円筒部５１Ａの下部が液密となり、二重の液密構成を得ることができる。
【００２９】
更に外容器５と液体容器２との取付構成としては、前記基部２２の上鍔状部２４と下鍔状部２５との間に螺子構成２２Ａが設けられていると共に、この螺子構成２２Ａが螺合する被螺子構成５１Ｃが前記開口円筒部５１Ａの対応位置に設けられていることにより、前記外容器５の開口部５１と液体容器２の口部２１との螺合取付が可能になっている。
【００３０】
以上の構成、即ち、外容器５の上面に近い位置と内部に入り込む位置での二重の液密構成によって、湯水の浸入経路の入口部分と出口部分での浸入を二重に阻止することが可能であり、しかも外容器５と液体容器２との取付構成である螺合構成（螺子構成２２Ａと被螺子構成５１Ｃ）が前記の二重の液密構成の間に設けられているため該螺合構成（螺子構成２２Ａと被螺子構成５１Ｃ）が湯水に浸かることを防止することができる。従って、螺合構成（螺子構成２２Ａと被螺子構成５１Ｃ）の部分にヌメリやカビが発生することを抑制することができる。
【００３１】
上記説明したように外容器５と液体容器２とが液密構成により取り付けられた状態で且つ外容器５に液体容器２が収納された構成において、
ポンプ体３の動作によって液体容器２内の液体を吸引・注出するに従って該液体容器２内の負圧化に伴って収縮（縮小）していく際の外容器５内の空気置換は、外容器５の本体５Ｂと蓋体５Ａとの間に設けられた通岐路Ａによって行われる。
【００３２】
通岐路Ａとしては、外容器５の本体５Ｂと蓋体５Ａとを螺合結合した際に、本体５Ｂの上部開口の上端部と蓋体５Ａの天板５２の下面とが部分的に間隙を設けた状態となって、この間隙の部分が通気路Ａとなる構成である。
【００３３】
この通気路Ａの具体的構成としては、例えば、図２及び図３に示す本実施例では、蓋体５Ａの天板５２の下面部に１つ以上（本実施例では４つ）の凸部５２Ａを設け、該凸部５２Ａが本体５Ｂの上部開口の上端部に当接することにより、該上端部と蓋体５Ａの天板５２の下面部との間に間隙が形成され、この間隙が通気路Ａとなる。
【００３４】
以上、本発明に係る液体取出装置について実施例に基づき説明したが、本発明は上記実施例に限定されず、本発明の範囲内において他の態様を採ることもできる。
【００３５】
例えば、上記実施例では、蓋体５Ａの天板５２の下面部に１つ以上の凸部５２Ａを設けることにより通気路Ａを形成した構成としていたが、図４に示すように天板５２の下面部に１つ以上（好ましくは複数個）の凹部５２Ｂを設けることにより通気路Ａを形成する構成としてもよい。
【００３６】
また、図５に示すように本体５Ｂの上部開口の上端部に１つ以上（好ましくは複数個）の凹部５２Ｃを設けることにより通気路Ａを形成する構成としてもよい。
【００３７】
更に、図６に示すように本体５Ｂの上部開口の上端部に１つ以上（好ましくは複数個）の凸部５２Ｄを設けることにより通気路Ａを形成する構成としてもよい。
【００３８】
更にまた、蓋体５Ａと本体５Ｂの両方に凸部や凹部を設けることにより通気路Ａを形成する構成としてもよい。
【符号の説明】
【００３９】
１  液体取出装置
２  液体容器
２１  口部
２２  基部
２２Ａ  螺子構成
２３  取付部材
２４  上鍔状部
２５  下鍔状部
３  ポンプ体
４  吸引管
５  外容器
５Ａ  蓋体
５Ｂ  本体
５１  開口部
５１Ａ  開口円筒部
５１Ｂ  凸条リブ
５１Ｃ  被螺子構成  
５２  天板
５２Ａ  凸部
５２Ｂ  凹部
５２Ｃ  凹部
５２Ｄ  凸部
５７  側壁部
５８  フランジ部
Ａ  通気路
【図１】
0006747829.tif 000002
【図２】
0006747829.tif 000003
【図３】
0006747829.tif 000004
【図４】
0006747829.tif 000005
【図５】
0006747829.tif 000006
【図６】
0006747829.tif 000007